(57)【要約】【課題】加熱もしくは冷却時の熱ロスを少なくして消費電力を低減する。【解決手段】シュータ２に関し、商品収納庫１の中央部、すなわち商品収納庫１の左右側壁１３の間の中央部に対応するシュータ２の位置に通気孔２ａを設ける。そして、ファン９にて送風されて通気孔２ａを通過した空気は、商品収納庫１の中央部を集中して商品収納庫１の左右側壁１３から遠い位置で商品ラック４に供給される。これにより左右側壁１３に当たる風量を低下させる商品収納庫１の壁面から外への熱ロスを低減できる。また、ファン９にて送風された空気は、上記通気孔２ａのみを通過するため、シュータ２の下方の熱交換室８が圧力室となる。これにより通気孔２ａを吹出す風の風速が増すこととなり、商品ラック４方向の速度成分が増加して側壁１３に当たる風量を低下させることができる。【選択図】　　　図１
2004133807.tif 000002
【特許請求の範囲】
【請求項１】
断熱材に囲まれた商品収納庫内に、商品を縦方向に収納し順次下方向に切り出す機能を有した商品ラックと、前記商品ラックの下方にあって前記商品ラックから切り出された商品を搬送するシュータと、前記シュータの下方にあって加熱もしくは冷却された空気を前記シュータに通過させて送風するファンとを備えた自動販売機において、
前記ファンにて送風された空気が前記商品収納庫の中央部を集中して通過するように前記シュータに通気孔を設けたことを特徴とする自動販売機。
【請求項２】
断熱材に囲まれた商品収納庫内に、商品を縦方向に収納し順次下方向に切り出す機能を有した商品ラックと、前記商品ラックの下方にあって前記商品ラックから切り出された商品を搬送するシュータと、前記シュータの下方にあって加熱もしくは冷却された空気を前記シュータに通過させて送風するファンとを備えた自動販売機において、
前記ファンにて送風された空気が前記商品ラックに収納された商品の位置を集中して通過するように前記シュータに通気孔を設けたことを特徴とする自動販売機。
【請求項３】
断熱材に囲まれた商品収納庫内に、商品を縦方向に収納し順次下方向に切り出す機能を有した商品ラックと、前記商品ラックの下方にあって前記商品ラックから切り出された商品を搬送するシュータと、前記シュータの下方にあって加熱もしくは冷却された空気を前記シュータに通過させて送風するファンとを備えた自動販売機において、
前記シュータに設けられて前記ファンにて送風された空気を通過させる通気孔と、
前記通気孔を通過した空気を前記商品ラックもしくは商品に向けて案内するガイド機構と、
を備えたことを特徴とする自動販売機。
【請求項４】
断熱材に囲まれた商品収納庫内に、商品を縦方向に収納し順次下方向に切り出す機能を有した商品ラックと、前記商品ラックの下方にあって前記商品ラックから切り出された商品を搬送するシュータと、前記シュータの下方にあって加熱もしくは冷却された空気を前記シュータに通過させて送風するファンとを備えた自動販売機において、
前記商品収納庫内における前記商品ラックの縦方向の中途部分に対応した位置に吸込み口を有し、前記シュータを通過した空気を吸い込んで前記ファンに循環させる側部ダクトを備えたことを特徴とする自動販売機。
【請求項５】
前記商品収納庫の後方には、前記シュータの上方と下方とを連通して前記ファンよる送風を循環する循環ダクトが設けられ、
前記側部ダクトが前記商品ラックの前後方向に沿って設けられて前記循環ダクトに連通し、前記側部ダクトの吸い込み口を前記商品ラックの前後方向における吸込みの流路抵抗を均等にする大きさに構成したことを特徴とする請求項４記載の自動販売機。
【請求項６】
断熱材に囲まれた商品収納庫内に、商品を縦方向に収納し順次下方向に切り出す機能を有した商品ラックと、前記商品ラックの下方にあって前記商品ラックから切り出された商品を搬送するシュータと、前記シュータの下方にあって加熱もしくは冷却された空気を前記シュータに通過させて送風するファンとを備えた自動販売機において、
前記シュータに設けられて前記ファンにて送風された空気を通過させる通気孔と、
前記通気孔を通過した空気を前記商品収納庫の中央部上方に案内し、且つ、その空気を前記商品ラックの下端部乃至前記商品ラックの縦方向の中途部分に対応する位置において左右側方に吹出す吹出し口を有した排気機構と、
を備えたことを特徴とする自動販売機。
【請求項７】
断熱材に囲まれた商品収納庫内に、商品を縦方向に収納し順次下方向に切り出す機能を有した商品ラックと、前記商品ラックの下方にあって前記商品ラックから切り出された商品を搬送するシュータと、前記シュータの下方にあって加熱もしくは冷却された空気を前記シュータに通過させて送風するファンとを備えた自動販売機において、
前記商品収納庫の壁面を覆い、且つ、前記商品収納庫の壁面との間に間隙を確保した状態で空気遮断材を設けたことを特徴とする自動販売機。
【請求項８】
断熱材に囲まれた商品収納庫内に、商品を縦方向に収納し順次下方向に切り出す機能を有した商品ラックと、前記商品ラックの下方にあって前記商品ラックから切り出された商品を搬送するシュータと、前記シュータの下方にあって加熱もしくは冷却された空気を前記シュータに通過させて送風するファンとを備えた自動販売機において、
前記商品収納庫の壁面に設けられ前記シュータを通過した空気の流れに突き当たる突起部を備えたことを特徴とする自動販売機。
【請求項９】
空気遮断材もしくは突起部を柔軟材で構成したことを特徴とする請求項７または８記載の自動販売機。
【発明の詳細な説明】
【０００１】
【発明の属する技術分野】
本発明は、缶、ビン、パック、ペットボトルなどの容器に入れた飲料などの商品を冷却もしくは加熱して販売に供する自動販売機に関するものである。
【０００２】
【従来の技術】
図１０および図１１は自動販売機の従来技術を示したものである。図１０が自動販売機の横断面図、図１１が自動販売機のシュータ付近の立体図を示す。
【０００３】
この自動販売機では、断熱材に上下前後左右が囲まれた略直方形状の商品収納庫１の内部下方にシュータ２が配置してある。シュータ２の上方には、商品３を縦方向に集積するための商品ラック４が構成してある。シュータ２の下方には、冷却ユニット５の蒸発器６からなる冷却装置、およびヒータ７からなる加熱装置を収容した熱交換室８が構成してある。加熱／冷却装置は、熱交換室８の後方に配置してある。熱交換室８の内部であって加熱／冷却装置の前方には、熱交換室８の前方に向けて送風を行うファン９が配置してある。
【０００４】
シュータ２は、商品ラック４と熱交換室８を仕切るように配置された板状体をなし、前方に向けて漸次低くなるように傾斜して、商品ラック４から落下した商品３を商品収納庫１の前方外部に通じる商品取り出し口１０まで転動させて送り出すことが可能になっている。また、シュータ２には、商品ラック４と熱交換室８との間において空気を適宜流通させるために多数の通気孔２ａが設けてある。また、商品収納庫１の後方であって商品ラック４の最奥方には、商品ラック４と熱交換室８との間を連通するように循環ダクト１１が設けてある。
【０００５】
上記のように構成した自動販売機では、例えば、冷却ユニット５を駆動した状態でファン９を駆動すると、蒸発器６により冷却された空気がシュータ２の通気孔２ａ、商品ラック４、循環ダクト１１を通じて商品収納庫１の内部を循環することになり、商品ラック４に集積した商品３を冷却することが可能になる。これとは逆にヒータ７を駆動した状態でファン９を駆動すると、ヒータ７により加熱された空気がシュータ２の通気孔２ａ、商品ラック４、循環ダクト１１を通じて商品収納庫１の内部を循環することになり、商品ラック４に集積した商品３を加熱することが可能になる。
【０００６】
また、商品ラック４の下端部には、商品切り出し機構１４が構成してある。商品切り出し機構１４は、販売指令に基づいて作動し、上記の如く冷却もしくは加熱された最下位の商品３を切り出してシュータ２の上に落下させる。（例えば、特許文献１もしくは特許文献２参照。）。
【０００７】
【特許文献１】
特開２００２−１９００６１号公報
【特許文献２】
特開２００２−４２２２５号公報
【０００８】
【発明が解決しようとする課題】
上述した従来の自動販売機において、ファン９の駆動によって通気孔２ａから吹出された風は、商品収納庫１の壁面（前面壁１２や左右側壁１３）に当たった後に商品ラック４に向かって循環する流れとなる。このような流れは、本願発明者により、商品収納庫１を透明部材で製作した可視化実験で観察、確認されている。
【０００９】
すなわち、上述した従来の自動販売機では、熱交換室８で加熱もしくは冷却されてシュータ２の通気孔２ａを通過した空気が商品収納庫１の壁面（前面壁１２や左右側壁１３）に接触するため、商品収納庫１の外への熱ロスが発生して消費電力が増加する。
【００１０】
また、上述した従来の自動販売機では、熱交換室８で加熱もしくは冷却されてシュータ２の通気孔２ａを通過した空気が商品ラック４（商品収納庫１）の上方まで到達してから循環ダクト１１に至る。このため、商品収納庫１の上方で、商品収納庫１の外への熱ロスが発生して消費電力が増加する。
【００１１】
また、上述した従来の自動販売機では、商品ラック４によって前後方向に商品３を集積し、各商品３を商品取り出し口１０まで転動させて送り出すためにシュータ２が傾斜している。このため、商品ラック４の下端部とシュータ２との間に空間が存在する。すなわち、この空間によって、熱交換室８で加熱もしくは冷却されてシュータ２の通気孔２ａを通過した空気が商品ラック４内の商品３に届くまでの経路が長く、この経路中で空気が商品収納庫１の壁面（前面壁１２や左右側壁１３）に接触するため、商品収納庫１の外への熱ロスが発生して消費電力が増加する。
【００１２】
本発明は、上記実情に鑑みて、加熱もしくは冷却時の熱ロスを少なくして消費電力を低減することのできる自動販売機を提供することを目的とする。
【００１３】
【課題を解決するための手段】
上記の目的を達成するために、本発明の請求項１に係る自動販売機は、断熱材に囲まれた商品収納庫内に、商品を縦方向に収納し順次下方向に切り出す機能を有した商品ラックと、前記商品ラックの下方にあって前記商品ラックから切り出された商品を搬送するシュータと、前記シュータの下方にあって加熱もしくは冷却された空気を前記シュータに通過させて送風するファンとを備えた自動販売機において、前記ファンにて送風された空気が前記商品収納庫の中央部を集中して通過するように前記シュータに通気孔を設けたことを特徴とする。
【００１４】
また、本発明の請求項２に係る自動販売機は、断熱材に囲まれた商品収納庫内に、商品を縦方向に収納し順次下方向に切り出す機能を有した商品ラックと、前記商品ラックの下方にあって前記商品ラックから切り出された商品を搬送するシュータと、前記シュータの下方にあって加熱もしくは冷却された空気を前記シュータに通過させて送風するファンとを備えた自動販売機において、前記ファンにて送風された空気が前記商品ラックに収納された商品の位置を集中して通過するように前記シュータに通気孔を設けたことを特徴とする。
【００１５】
また、本発明の請求項３に係る自動販売機は、断熱材に囲まれた商品収納庫内に、商品を縦方向に収納し順次下方向に切り出す機能を有した商品ラックと、前記商品ラックの下方にあって前記商品ラックから切り出された商品を搬送するシュータと、前記シュータの下方にあって加熱もしくは冷却された空気を前記シュータに通過させて送風するファンとを備えた自動販売機において、前記シュータに設けられて前記ファンにて送風された空気を通過させる通気孔と、前記通気孔を通過した空気を前記商品ラックもしくは商品に向けて案内するガイド機構とを備えたことを特徴とする。
【００１６】
また、本発明の請求項４に係る自動販売機は、断熱材に囲まれた商品収納庫内に、商品を縦方向に収納し順次下方向に切り出す機能を有した商品ラックと、前記商品ラックの下方にあって前記商品ラックから切り出された商品を搬送するシュータと、前記シュータの下方にあって加熱もしくは冷却された空気を前記シュータに通過させて送風するファンとを備えた自動販売機において、前記商品収納庫内における前記商品ラックの縦方向の中途部分に対応した位置に吸込み口を有し、前記シュータを通過した空気を吸い込んで前記ファンに循環させる側部ダクトを備えたことを特徴とする。
【００１７】
また、本発明の請求項５に係る自動販売機は、上記請求項４において、前記商品収納庫の後方には、前記シュータの上方と下方とを連通して前記ファンよる送風を循環する循環ダクトが設けられ、前記側部ダクトが前記商品ラックの前後方向に沿って設けられて前記循環ダクトに連通し、前記側部ダクトの吸い込み口を前記商品ラックの前後方向における吸込みの流路抵抗を均等にする大きさに構成したことを特徴とする。
【００１８】
また、本発明の請求項６に係る自動販売機は、断熱材に囲まれた商品収納庫内に、商品を縦方向に収納し順次下方向に切り出す機能を有した商品ラックと、前記商品ラックの下方にあって前記商品ラックから切り出された商品を搬送するシュータと、前記シュータの下方にあって加熱もしくは冷却された空気を前記シュータに通過させて送風するファンとを備えた自動販売機において、前記シュータに設けられて前記ファンにて送風された空気を通過させる通気孔と、前記通気孔を通過した空気を前記商品収納庫の中央部上方に案内し、且つ、その空気を前記商品ラックの下端部乃至前記商品ラックの縦方向の中途部分に対応する位置において左右側方に吹出す吹出し口を有した排気機構とを備えたことを特徴とする。
【００１９】
また、本発明の請求項７に係る自動販売機は、断熱材に囲まれた商品収納庫内に、商品を縦方向に収納し順次下方向に切り出す機能を有した商品ラックと、前記商品ラックの下方にあって前記商品ラックから切り出された商品を搬送するシュータと、前記シュータの下方にあって加熱もしくは冷却された空気を前記シュータに通過させて送風するファンとを備えた自動販売機において、前記商品収納庫の壁面を覆い、且つ、前記商品収納庫の壁面との間に間隙を確保した状態で空気遮断材を設けたことを特徴とする。
【００２０】
また、本発明の請求項８に係る自動販売機は、断熱材に囲まれた商品収納庫内に、商品を縦方向に収納し順次下方向に切り出す機能を有した商品ラックと、前記商品ラックの下方にあって前記商品ラックから切り出された商品を搬送するシュータと、前記シュータの下方にあって加熱もしくは冷却された空気を前記シュータに通過させて送風するファンとを備えた自動販売機において、前記商品収納庫の壁面に設けられ前記シュータを通過した空気の流れに突き当たる突起部を備えたことを特徴とする。
【００２１】
また、本発明の請求項９に係る自動販売機は、上記請求項７または８において、空気遮断材もしくは突起部を柔軟材で構成したことを特徴とする。
【００２２】
【発明の実施の形態】
以下に添付図面を参照して、本発明に係る自動販売機の実施の形態を説明する。なお、以下に説明する実施の形態において、上述した従来の技術と対応する部分には同一の符号を用い、且つ、従来の技術と実質的に同一の部分は説明を省略する。
【００２３】
（実施の形態１）
図１は本発明に係る自動販売機の実施の形態１を示す立体図である。図１に示すように、実施の形態１は、シュータ２に関し、ファン９にて送風された空気が商品収納庫１の中央部を集中して通過するように通気孔２ａを設けている。具体的には、商品収納庫１の中央部、すなわち商品収納庫１の左右側壁（壁面）１３から遠い中央部に対応するシュータ２の位置に通気孔２ａを設けてある。本実施の形態１において、通気孔２ａは、円形（もしくは他様々な形状）でシュータ２の面に穿設してあり、シュータ２の左右幅方向の中央部にて前後方向に併設してある。
【００２４】
そして、ファン９にて送風された空気は、上記の如くシュータ２に設けた通気孔２ａを通過する。このため、シュータ２の下方の熱交換室８は、上述した従来と比較して密閉化された圧力室となる。また、ファン９にて送風された空気は、通気孔２ａの配置によって、商品収納庫１の中央部を集中するように吹出されて商品ラック４に供給される。
【００２５】
したがって、この構成によれば、通気孔２ａの配置によって、ファン９にて送風された空気が商品収納庫１の中央部を集中するようにシュータ２を通過するので、左右側壁（壁面）１３に当たる風量を低下させることができる。これにより、商品収納庫１の壁面から外への熱ロスを低減できる。
【００２６】
また、通気孔２ａが限定されて吹出し面積が小さくなるので、ファン９の駆動により熱交換室８が圧力室となって、ファン９による風量が従来と同じでも通気孔２ａを吹出す風の風速が増すこととなる。これにより、商品ラック４方向への速度成分が増加して左右側壁１３に当たる風量を低下させることができる。
【００２７】
また、通気孔２ａを商品収納庫１の奥行き方向（前後方向）に設置しているので、自動販売機の奥行き寸法が変化した場合にも同構成において対応ができ、自動販売機ごとの調整が不要になる。
【００２８】
なお、図１ではシュータ２の通気孔２ａが前面壁１２寄りに設けてあるが、前面壁１２寄りの通気孔２ａを無くすように配置すれば、前面壁（壁面）１２に当たる風量も低下させることができ、さらなる熱ロスの低減になる。
【００２９】
また、図１では通気孔２ａを１列としてあるが、商品３の温度ばらつきによっては複数列としても構わない。
【００３０】
さらに、図１では商品収納庫１の内部に２つの商品ラック４を配置した例を示している。そして、商品ラック４と左右側壁１３との間、商品ラック４と商品ラック４との間には実質的に隙間が存在する。本願発明者の解析結果では、それらの隙間を通って商品ラック４の上方まで風が供給されることが確認されている。そのため、上記構成に加えてそれらの隙間を塞いで風が通らない構成とすることが熱ロスの低減のために好ましい。
【００３１】
（実施の形態２）
図２は本発明に係る自動販売機の実施の形態２を示す立体図である。図２に示すように、実施の形態２は、シュータ２に関し、ファン９にて送風された空気が商品の中央部の位置を通過するように通気孔２ａを設けてある。具体的に、通気孔２ａは、円形（もしくは他様々な形状）でシュータ２の面に穿設してあり、各商品３の左右幅の中央部の直下の位置（すなわち、各商品３に対応した位置）にて前後方向に併設してある。
【００３２】
そして、ファン９にて送風された空気は、通気孔２ａの配置によって、商品ラック４に収納された商品３の中央部の位置を集中するように吹出されて商品３に直接供給される。
【００３３】
したがって、この構成によれば、商品３に選択的に風を供給し、風の経路を短くすることが可能になるため、各商品３の温度ばらつきを小さくすることができる。また、通気孔２ａの配置によって、ファン９にて送風された空気が商品３の中央部の位置を集中するようにシュータ２を通過するので、左右側壁（壁面）１３に当たる風量を低下させることができる。これにより、商品収納庫１の壁面から外への熱ロスを低減できる。
【００３４】
さらに、風は商品３に当たった後には速度ベクトルが変化して、商品ラック４の上方に流れようとする風量が抑制されるので、商品ラック４の上方にある商品３を温めたり冷やしたりといった過剰な熱量を防ぎ、商品収納庫１の上方での熱ロスを防止することができる。
【００３５】
なお、図２ではシュータ２の通気孔２ａが前面壁１２寄りに設けてあるが、前面壁１２寄りの通気孔２ａを無くせば、前面壁１２に当たる風量も低下させることができ、さらなる熱ロスの低減になる。
【００３６】
また、図２では一つの商品に対応する通気孔２ａを１列としてあるが、商品３の温度ばらつきによっては複数列としても構わない。
【００３７】
（実施の形態３）
図３は本発明に係る自動販売機の実施の形態３を示す立体図である。図３に示すように、実施の形態３は、シュータ２に関し、通気孔２ａを通過した空気を商品ラック４もしくは商品３に向けて案内するガイド機構としての風ガイド１７を設けてある。この風ガイド１７は、商品３の販売の際、商品ラック４から切り出された商品３がシュータ２の面上を転動する妨げにならないようにする。例えば、通気孔２ａを商品ラック４と商品ラック４との間の直下のシュータ２の位置に前後方向に併設し、その通気孔２ａの左右側部にて前後方向に連なる風ガイド１７を設ける。
【００３８】
そして、ファン９にて送風された空気は、シュータ２の通気孔２ａを通過し、風ガイド１７によって放射状に拡がることなく抑制されて商品ラック４もしくは商品３に向けて案内される。
【００３９】
したがって、この構成によれば、通気孔２ａから吹出した風が、風ガイド１７によって商品ラック４もしくは商品３に向けて案内されるので、左右側壁（壁面）１３に到達する風量を低下させることができる。これにより、商品収納庫１の壁面から外への熱ロスを低減できる。
【００４０】
なお、図３において風ガイド１７は複数の通気孔２ａを網羅した構成としたが、各々の通気孔２ａに設けても構わない。
【００４１】
また、図３において風ガイド１７は通気孔２ａの左右側部に設けられているが、通気孔２ａの前側に設けられていても構わない。これによれば、通気孔２ａから吹出した風が放射状に拡がることを風ガイド１７により抑制し、前面壁（壁面）１２に到達する風量も減らすことができる。
【００４２】
（実施の形態４）
図４は本発明に係る自動販売機の実施の形態４を示す立体図である。図４に示すように、実施の形態４は、商品ラック４の縦方向の中途部分に対応する位置に、循環ダクト１１に通じる吸込み口１９ａを有した側部ダクト１９が設けてある。具体的には、側部ダクト１９は、商品収納庫１と商品ラック４との間であり、商品ラック４の前後方向に沿うようにして商品収納庫１の後方にある循環ダクト１１に連通して設けてある。吸込み口１９ａは、商品ラック４に収納された商品３の側部に対応した位置に設けてある。
【００４３】
そして、ファン９にて送風された空気は、シュータ２の通気孔２ａを通過し、商品３を経由して側部ダクト１９の吸込み口１９ａから循環ダクト１１を経て熱交換室８に戻る。
【００４４】
したがって、この構成によれば、シュータ２の通気孔２ａから吹出された風が、商品ラック４の縦方向の中途部分の位置で強制的に側部ダクト１９側に曲げられて吸込み口１９ａに吸込まれるので、商品ラック４の上方まで風が循環しなくなる。これにより、商品ラック４の上方の商品３を温めたり冷やしたりといった過剰な熱量を防ぎ、商品収納庫１の上方での熱ロスを防止することができる。
【００４５】
また、側部ダクト１９の上下位置は任意であり、例えば、商品ラック４に収納された商品３の下から５本目の位置に側部ダクト１９の位置を替えて構成すれば、５本目までの商品３を温めたり冷やしたりできるようになる。
【００４６】
なお、図４においてシュータ２の通気孔２ａは、上述した実施の形態１の如く商品収納庫１の中央部に対応するシュータ２の位置に設けてある。これによれば、実施の形態１の効果を得た上で本実施の形態４の効果が得られる。また、通気孔２ａは、上述した実施の形態２の如く商品３の左右幅の中央部に対応するシュータ２の位置に設けても構わない。これによれば、実施の形態２の効果を得た上で本実施の形態４の効果が得られる。
【００４７】
また、図４では側部ダクト１９が商品収納庫１と商品ラック４との間に設けてあるが、側部ダクト１９を商品ラック４と商品ラック４との間に設けても構わない。
【００４８】
（実施の形態５）
図５は本発明に係る自動販売機の実施の形態５を示す立体図である。図５に示すように、実施の形態５は、上述した実施の形態４において、側部ダクト１９が商品ラック４の前後方向に沿って設けられ、その吸込み口１９ａが商品ラック４の前後方向における吸込みの流路抵抗を均等にする大きさで構成してある。具体的には、吸込み口１９ａの開口面積が、前面壁１２から近い順に大きくしてある。
【００４９】
そして、ファン９にて送風された空気は、シュータ２の通気孔２ａを通過し、商品３を経由して側部ダクト１９の大きさの異なる各吸込み口１９ａから図５中矢印方向に向かって循環ダクト１１を経て熱交換室８に戻る。
【００５０】
したがって、吸込み口１９ａは、前面壁１２から近くなる位置にあるほど、ファン９の吸込み側（循環ダクト１１）までの距離が長いために流体抵抗が大きくなり吸込み力が弱くなるが、上記構成によれば、吸込み口１９ａが前面壁１２から近い順に大きくしてあるので、各吸込み口１９ａの流路抵抗を均等にすることができる。これにより、商品ラック４の前後方向にある商品３を均等に温めたり冷やしたりすることができる。
【００５１】
また、シュータ２の通気孔２ａから吹出された風が、商品ラック４の縦方向の中途部分で強制的に側部ダクト１９側に曲げられて吸込み口１９ａに吸込まれるので、商品ラック４の上方まで風が循環しなくなる。これにより、商品ラック４の上方の商品３を温めたり冷やしたりといった過剰な熱量を防ぎ、商品収納庫１の上方での熱ロスを防止することができる。
【００５２】
（実施の形態６）
図６は本発明に係る自動販売機の実施の形態６を示す立体図である。図６に示すように、実施の形態６は、シュータ２に関し、シュータ２の通気孔２ａの周囲に左右側壁１３の方向に流れる風を抑制しつつ、空気を左右側方に吹出す排気機構としての風ダクト２０を設けてある。この風ダクト２０は、商品３の販売の際、商品ラック４から切り出された商品３がシュータ２の面上を転動する妨げにならないようにする。例えば、通気孔２ａを商品ラック４と商品ラック４との間の直下のシュータ２の位置に前後方向に併設し、その通気孔２ａの周囲に前後方向に連なる風ダクト２０を設ける。風ダクト２０には、商品ラック４とシュータ２との間の位置において、左右側方すなわち商品収納庫１の左右側壁１３側に向いて開口する吹出し口２０ａを設けてある。
【００５３】
そして、ファン９にて送風された空気は、風ダクト２０によって商品収納庫１の中央部に集中するように案内された後、吹出し口２０ａから左右側方に吹出される。
【００５４】
したがって、この構成によれば、シュータ２の通気孔２ａから吹出した風が、商品収納庫１の中央部に案内されて左右側壁１３から遠ざかるように集束された後、左右側壁１３に向かせた吹出し口２０ａから吹出されるため、風の主成分が左右側壁１３方向となって商品ラック４に供給される。これにより、商品ラック４の上方への風の到達が抑えられる。ゆえに、商品ラック４の上方の商品３を温めたり冷やしたりといった過剰な熱量を防ぎ、商品収納庫１の上方での熱ロスを防止することができる。
【００５５】
なお、図６において風ダクト２０の吹出し口２０ａをシュータ２と商品ラック４との間の空間に設置したが、風ダクト２０を延長して商品ラック４内まで挿入し、商品ラック４内の縦方向の中途部分の位置に直接風を供給できる吹出し口２０ａを設ける構成とすれば、商品３に風を直接供給できるようになるのでより効率が良くなる。また、風ダクト２０の延長部分は商品ラック４と商品ラック４との隙間で代用しても構わない。
【００５６】
（実施の形態７）
図７は本発明に係る自動販売機の実施の形態７を示す立体図である。図７に示すように、実施の形態７は、商品ラック４の下方において商品収納庫１の壁面としての左右側壁１３を覆い、且つ、左右側壁１３との間に間隙を確保した状態で空気遮断材２５を設けてある。
【００５７】
そして、ファン９にて送風されてシュータ２の通気孔２ａを通過した空気は、空気遮断材２５によって分離された左右側壁１３側の領域（間隙）に到達しないように遮られ、商品ラック４がある領域で循環する。
【００５８】
したがって、この構成によれば、空気遮断材２５によって商品収納庫１の領域を、シュータ２から吹出された風が循環する領域と、左右側壁１３と空気遮断材２５との間の間隙の領域とに分離している。このため、左右側壁１３と空気遮断材２５との間の間隙の領域では、自然対流もしくは熱伝導で左右側壁１３と熱交換が行われるので、シュータ２から吹出された風が側壁１３に直接当たる場合（ファン９による強制対流で側壁１３と熱交換が行われる場合）に比べ、左右側壁１３から商品収納庫１の外への熱ロスを小さくすることができる。
【００５９】
なお、左右側壁１３近傍の領域は自然対流が起きない熱伝導で伝わる厚さ、例えば１０ｍｍ以下まで小さくするのが望ましい。また、空気遮断材２５は、フィンの効果を果たさないように、熱伝導率が小さい、例えばプラスチックで構成するのが好ましい。さらに、空気遮断材２５と左右側壁１３との間の間隙に断熱材を挿入すれば、断熱材の熱伝導率と空気の熱伝導率による効果が大きくなる場合がある。
【００６０】
また、図７において空気遮断材２５を左右側壁１３近傍に設けた例であるが、この空気遮断材２５を商品収納庫１の壁面としての前面壁１２との間で間隙を確保する状態で設けてもよい。
【００６１】
（実施の形態８）
図８（ａ）は本発明に係る自動販売機の実施の形態８を示す立体図、図８（ｂ）は作用を示す図である。図８（ａ）に示すように、実施の形態８は、商品収納庫１の壁面としての左右側壁１３に突起部２６を設けてある。具体的に、突起部２６は、商品収納庫１の左右側壁１３において前後方向に長手状に設けてある。
【００６２】
そして、図８（ｂ）に示すように、ファン９にて送風されてシュータ２の通気孔２ａを通過した空気は、突起部２６に突き当たり、上方への主流方向に対して突起部２６の後方（上方）では風の淀む箇所として生成される。
【００６３】
したがって、この構成によれば、突起部２６が空気の主流方向の後方にて風が淀む箇所を生成するので、部分的に風速を低く抑えられて左右側壁１３からの熱ロスを小さくすることができる。
【００６４】
なお、突起部２６を複数設ければ風の淀む領域を大きくできるので、より多くの熱ロスを抑えることができる。突起部２６はフィンの効果を果たさないように、熱伝導率が小さい、例えばプラスチックで構成するのが好ましい。さらに、突起部２６と側壁１３との間の空間に断熱材を挿入すれば、断熱材の熱伝導率と空気の熱伝導率による効果が大きくなる場合がある。
【００６５】
また、図７において突起部２６を左右側壁１３に沿って設けた例であるが、この突起部２６を商品収納庫１の壁面としての前面壁１２に設けてもよい。
【００６６】
（実施の形態９）
図９は本発明に係る自動販売機の実施の形態９を示す立体図である。図９に示すように、実施の形態９は、上述した実施の形態７において空気遮断材２５を柔軟材で構成してある。柔軟材としては、例えばポリエステルのフィルムなどが好ましい。
【００６７】
そして、商品ラック４から切り出されてシュータ２にて搬出される商品３が空気遮蔽材２５に衝突した場合、柔軟材からなる空気遮蔽材２５が変形して商品販売の妨げにならず、それ以外の場合は側壁１３と一定の距離を保つ。
【００６８】
したがって、この構成によれば、商品の販売に伴う寸法制約を考えることなく空気遮断材２５にかかる側壁１３近傍の領域厚さを設定できる。
【００６９】
なお、図９において商品ラック４から空気遮断材２５をシュータ２方向に垂らした構成としたが、シュータ２側から立設しても構わない。
【００７０】
ところで、図示しないが、実施の形態９では、上述した実施の形態８において突起部２６を柔軟材で構成することもできる。柔軟材としては、例えば風が投下し難いスポンジなどが好ましい。
【００７１】
そして、商品３が突起部２６に衝突した場合、柔軟材からなる突起部２６が変形して商品販売の妨げにならず、それ以外の場合は壁と一定の距離を保つ。
【００７２】
したがって、この構成によれば、突起部２６の側壁１３からの厚さを厚くして風の淀む領域を大きくできる。
【００７３】
【発明の効果】
以上説明したように、本発明の自動販売機によれば、ファンにて送風された空気が商品収納庫の中央部を集中して通過するようにシュータに通気孔を設けた構成とした。この構成によれば、空気の風吹出し位置と商品収納庫の壁面との距離が大きく取れ、壁面に到達する風量を小さく抑制できるので、商品収納庫の壁面から外部への熱ロスを低減できる。
【００７４】
また、本発明の自動販売機によれば、ファンにて送風された空気が商品の位置を集中して通過するようにシュータに通気孔を設けた構成とした。この構成によれば、商品に選択的に風を供給できるようになり、加熱／冷却経路において熱ロス箇所が抑制され加熱／冷却効率が増加する。また、風が商品に直接当たるので商品ラック上方への推進力が弱まり、商品ラックの上方に到達する風量を小さく抑制でき、商品収納庫の上方での外部への熱ロスを低減できる。
【００７５】
また、本発明の自動販売機によれば、シュータの通気孔を通過した空気を商品ラックもしくは商品に向けて案内するガイド機構を設けた構成とした。この構成によれば、通気孔から吹出した風はガイド機構に当たり、商品ラックもしくは商品方向に整流されるので、商品収納庫の壁面に到達する風量を小さく抑制でき、商品収納庫の壁面から外部への熱ロスを低減できる。
【００７６】
また、本発明の自動販売機によれば、商品ラックの縦方向の中途部分に対応した位置に、シュータを通過した空気を吸込んでファンに循環させる吸込み口を有した側部ダクトを設けた構成とした。この構成によれば、シュータの通気孔から吹出した風は、吸込み口方向に流れるので商品ラックの上方への推進力が弱まる。ゆえに、商品ラックの上方に到達する風量を小さく抑制でき、商品収納庫の上方での外部への熱ロスを低減できる。
【００７７】
また、上記側部ダクトを商品ラックの前後方向に沿って設け、上記吸込み口を商品ラックの前後方向における吸込みの流路抵抗を均等にする大きさにした構成とする。例えば、吸込み口の前側を大きくし、後側になるに従い小さくする構成とする。この構成によれば、商品ラックの前後方向での流体抵抗の差を吸込み口の大きさで調整できるので、各商品ラックから循環ダクトに入る風量を一定にでき、商品の温度ばらつきを抑えることができる。
【００７８】
また、本発明の自動販売機によれば、シュータに通過した空気を商品収納庫の中央部上方に案内し、その空気をラックの下端部乃至前記商品ラックの縦方向の中途部分に対応する位置において左右側方に吹出す吹出し口を有した排気機構を設けた構成とした。この構成によれば、特にシュータと商品ラックとの間で商品収納庫の壁面に当たる風を遮蔽でき、商品収納庫の壁面から外部への熱ロスを低減できる。また、吹出し口を左右側方に向けて設けたので、商品ラックの上方への風の推進力が弱まり、商品ラックの上方に到達する風量を小さく抑制でき、商品収納庫の上方での壁面から外部への熱ロスを低減できる。
【００７９】
また、本発明の自動販売機によれば、商品収納庫の壁面を覆い、商品収納庫の壁面との間に間隙を確保した状態で空気遮断材を設けた構成とした。この構成によれば、空気遮断材によって商品収納庫の壁面との間の間隙内に形成された空気層の領域において、風の動きは自然対流もしくは自然対流も生じなくなるので、商品収納庫の壁面から外部への熱ロスを低減できる。
【００８０】
また、本発明の自動販売機によれば、商品収納庫の壁面に、シュータに通過した空気の流れに突き当たる突起部を設ける構成とする。この構成によれば、風の主流方向での突起部の下流側に風の淀む箇所が形成され、この風速が低くなる淀み箇所の面積分だけ商品収納庫の壁面から外部への熱ロスを低減できる。
【００８１】
また、上記空気遮断材もしくは突起部を柔軟材で構成する。この構成によれば、商品販売経路を確保するための寸法制約を緩和でき、商品収納庫の壁面から外部への熱ロスを低減できる任意厚さの空気層をなす空気遮断材、もしくは風の淀み箇所が大きくできる任意厚さの突起部を構成できるようになる。
【図面の簡単な説明】
【図１】本発明に係る自動販売機の実施の形態１を示す立体図である。
【図２】本発明に係る自動販売機の実施の形態２を示す立体図である。
【図３】本発明に係る自動販売機の実施の形態３を示す立体図である。
【図４】本発明に係る自動販売機の実施の形態４を示す立体図である。
【図５】本発明に係る自動販売機の実施の形態５を示す立体図である。
【図６】本発明に係る自動販売機の実施の形態６を示す立体図である。
【図７】本発明に係る自動販売機の実施の形態７を示す立体図である。
【図８】（ａ）本発明に係る自動販売機の実施の形態８を示す立体図である。
（ｂ）実施の形態８の作用を示す図である。
【図９】本発明に係る自動販売機の実施の形態９を示す立体図である。
【図１０】従来の自動販売機を示す側面図である。
【図１１】従来の自動販売機のシュータ付近の立体図である。
【符号の説明】
１　　　　商品収納庫
２　　　　シュータ
２ａ　　　通気孔
３　　　　商品
４　　　　商品ラック
５　　　　冷却ユニット（冷却装置）
６　　　　蒸発器（冷却装置）
７　　　　ヒータ（加熱装置）
８　　　　熱交換室
９　　　　ファン
１１　　　循環ダクト
１２　　　前面壁（壁面）
１３　　　左右側壁（壁面）
１７　　　風ガイド（ガイド機構）
１９　　　側部ダクト
１９ａ　　吸込み口
２０　　　風ダクト（排気機構）
２０ａ　　吹出し口
２５　　　空気遮断材
２６　　　突起部
【図１】
2004133807.tif 000003
【図２】
2004133807.tif 000004
【図３】
2004133807.tif 000005
【図４】
2004133807.tif 000006
【図５】
2004133807.tif 000007
【図６】
2004133807.tif 000008
【図７】
2004133807.tif 000009
【図８】
2004133807.tif 000010
【図９】
2004133807.tif 000011
【図１０】
2004133807.tif 000012
【図１１】
2004133807.tif 000013